(57)【要約】【課題】既設のスレート葺屋根材の固定用フックボルトへの取付けを堅固に行うことができる他、取付け・取外しが簡単なスレート葺屋根補修用の屋根板保持金具と、その保持金具を用いることで達成されるスレート葺屋根補修構造と、そして、金属製折曲げ屋根材の安定した取付けを低コストで行うことのできるスレート葺屋根の補修工法とを提案する。【解決手段】断面略台形状を呈し、その左右傾斜側部がスレート葺屋根の波形凸部を跨ぐ、その両側の傾斜面に沿って配置される一対の側板部を有する台座部と、該台座部上面の幅方向端部から上方にそれぞれ突設された一対の支持部とからなる保持金具と、  この金具をスレート葺屋根材に取付けてあるフックボルトに固定して、その上に２枚の金属製折曲げ屋根材の重ね合わせ端部を載置したのち長ビス止めをし、老朽化したスレート葺屋根を覆う補修工法と、その補修構造。【選択図】図３
2011122363.tif 000002
【特許請求の範囲】
【請求項１】
既設のスレート葺屋根上を覆う金属製折曲げ屋根材を支持するための屋根板保持金具であって、
この保持金具は、下部が台座部として構成され、上部が支持部として構成されていて、断面略台形状をなすものであり、
上記台座部は、スレート葺屋根材の波形凸部を跨ぐように配設される部分であって、台座上板部と左右の傾斜側板部とからなり、かつ、その台座上板部には、中央部の前後方向を切り起して形成される一対の対向する矩形状係止爪を有すると共に、この係止爪に挟まれた左右方向には、スレート葺屋根材固定用フックボルトを挿入するための長孔状ボルト挿通孔とを有し、
上記支持部は、台座上板部の前後方向の端縁から上方にそれぞれ立設された一対の支持部側板およびこれらの支持部側板上端からそれぞれ外側に翼状に張設した支持部上板とからなる、
ことを特徴とするスレート葺屋根補修用屋根板保持金具。
【請求項２】
前記台座部は、左右傾斜側板部のそれぞれの下端部に、外向きに延在させた鍔片を有することを特徴とする請求項１に記載のスレート葺屋根補修用屋根板保持金具。
【請求項３】
前記係止爪は、フックボルトのねじ部に噛合してこれを係止する対向する端縁が、長孔状ボルト挿通孔の長手方向に沿って直線的に形成され、かつこの係止爪の左右方向両端部の外側には、それぞれ、フックボルトの直径よりも大きい開口部を有することを特徴とする請求項１または２に記載のスレート葺屋根補修用屋根板保持金具。
【請求項４】
前記台座部の左右傾斜側板部の拡がり方向と前記支持部上板の張り出し方向とが互いに直行する向きに形成されていることを特徴とする請求項１〜３のいずれか１に記載のスレート葺屋根補修用屋根板保持金具。
【請求項５】
前記係止片の先端が、先細形状であることを特徴とする請求項１〜４のいずれか１に記載のスレート葺屋根補修用屋根板保持金具。
【請求項６】
既設スレート葺屋根上に、屋根板保持金具を介して金属製折曲げ屋根材を被覆してなるスレート葺屋根の補修構造において、
前記保持金具が、請求項１〜５のいずれか１項に記載のスレート葺屋根補修用保持金具によって構成され、
前記金属製折曲げ屋根材が、スレート葺屋根の各山部に対応する位置において折曲げ成形された台形山部を有すると共に、その台形山部のうちのスレート葺屋根材を固定するフックボルトの設置部分を高台形山部としてなる折曲げ屋根材によって構成され、
前記金属製折曲げ屋根材端部の高台形山部が、スレート葺屋根材固定用フックボルトに装着されている上記保持金具の、支持部上板上に重ね合わせて載置され、
そして、該金属製折曲げ屋根材は、隣接するものどうしを連結するために、それらの端部どうしを重ね合わせた部分が、屋根下地材に向けて打ち込まれた直打用長ビスを介して固定されていることを特徴とするスレート葺屋根の補修構造。
【請求項７】
既設スレート葺屋根上に、屋根板保持金具を介して金属製折曲げ屋根材を配設して、これを覆うことにより、スレート葺屋根の補修を行う方法において、
フックボルトが取付けられているスレート葺屋根材の波形山部のうちの、その上に被せる金属製折曲げ屋根材端部の高台形山部に当たる位置に、請求項１〜５のいずれか１項に記載の屋根板保持金具を、この金具の台座上板部に設けられた長孔状ボルト挿通孔中にあるフックボルトに取付けると共に、この屋根板保持金具を台座上板部に設けた係止爪を介して該フックボルトのネジ山に食い込ませて固定し、
次いで、上記屋根板保持金具上に、両端部に高台形山部が形成されている金属製折曲げ屋根材を、その高台形山部の部分を互いに重ね合わせた状態にして載置し、
その後、上記金属製折曲げ屋根材の上から、連結すべき該屋根材それぞれの端部の重ね合わせ部分に、直打用長ビスを下層にあるスレート葺屋根材ともども屋根下地材にまで打込むことにより、該金属製折曲げ屋根材をスレート葺屋根上に被覆した状態で固定する、
ことを特徴とするスレート葺屋根の補修工法。
【発明の詳細な説明】
【技術分野】
【０００１】
本発明は、一般住宅や学校、ガレージ、工場、倉庫、店舗等の屋根葺に用いられている老朽化したスレート葺屋根材を、これを取り壊すことなく新しい金属製折曲げ屋根材を覆い被せて補修する際に用いられるスレート葺屋根補修用の屋根板保持金具、スレート葺屋根の補修構造およびその補修工法に関しての提案である。
【背景技術】
【０００２】
従来、老朽化したスレート葺屋根の補修を行う場合、まず、古くなったスレート葺屋根材を取り外し、次いで、新たなスレート葺屋根材等を取付けて新しい屋根を葺上げる方法が一般的である。この工法では、とくに工場等の場合、その葺替工事の間、工場作業を長期間に亘って休止しなければならないという問題があった。また、何よりも、近年では、取り外したスレート葺屋根材は、その多くがセメントの他に１０〜２０ｍａｓｓ％程度の石綿をも含むものがあるため、大量に発生するこの廃棄物の処理が環境汚染になるという点で大きな問題となっていた。さらに、葺替工事中は屋根がなくなるため、風雨を凌ぐための養生を行うことが必要になり、しかも骨組だけになるため危険であり、しかも室内にも足場などを設置する必要があるという問題もあった。
【０００３】
これに対し、従来、老朽化したスレート葺屋根を取り壊すことなく、その上を金属製折曲げ屋根材にて覆うことにより、スレート葺屋根を補修する方法がある。このような施工方法の例としては、例えば、特許文献１および２に開示されているような方法が知られている。
【０００４】
特許文献１では、既存のスレート葺屋根板を固定しているフックボルトに、支持金具（固定金具）を、取付けると共に、係止部材によって上側から押さえて固定し、次いで、支持金具上に、新規の外装下地材を載置し、固定具によって固着し、その後、該外装下地材上に新規の外装材を載置し、外装材の凸部上方から、外装下地材に至るまでドリルビスを打入させることにより、外装材を外装下地材上に支持固定する外装材葺替え構造を提案している。
【０００５】
また、特許文献２では、既存の波形スレート板を固定しているフックボルトに、略逆Ｕ字状の支持フレームを挿入し、該支持フレームに設けられている圧入係止部によって係止した後、波形スレート板上に新設のカバールーフを被覆し、カバールーフ上方からドリルビスを打ち込んで、ドリルビスの下端を支持フレームの頂部に固定するという、スレート屋根の葺替構造を提案している。
【特許文献１】特開２００３−１８４２２８号公報
【特許文献２】特開２０００−３３６８５１号公報
【発明の開示】
【発明が解決しようとする課題】
【０００６】
しかしながら、従来技術、例えば、特許文献１は、固定金具と補修用屋根板材（外装材）との間に、下地材を設け、カバールーフとなる新設の屋根板材の波形凸部から、この下地材に至るまで止着部材（ドリルビス）を挿通することで、屋根板材を下地材に固着させるのであるが、この場合、下地材の設置が不可欠であり、該下地材を固定金具上にネジ止め等によって固着させる必要があるため、設置に手間がかかると共に、工期が長くなることにより、コストアップとなる。また、カバールーフの設置高さが、下地材の高さ分だけ高くなり、不安定になるという問題がある。さらに、カバールーフの波形凸部の下方が空洞となり、それを下方から支持するものがないため、作業者がこの凸部を踏み込むと、凹んだり変形するおそれがあった。
【０００７】
さらに、特許文献１の技術では、支持金具とは別体の係止部材を設け、該係止部材を移動可能にしたことにより、フックボルトの芯がズレている場合にも対応できるようしているが、別部材を設けることによるコストアップの問題がある。
【０００８】
また、特許文献２の葺替構造は、既設のスレート葺屋根材上に支持フレーム（固定金具）を介して新設の屋根材を取付けるものであり、特許文献１のような下地材を必要としていない。しかしながら、この文献２では、既設のフックボルトの上部を切取らず、支持フレームから突出した該フックボルト上に新設の屋根板を葺くようにしているため、新設のカバールーフの山部（凸部）高さが高くなり、一般的な板幅（９１４ｍｍ）の屋根板を使用する場合、スレートの働き幅７８０ｍｍに対し、働き幅が１山間隔少ない６５０ｍｍになる。したがって、屋根板材が特殊仕様となると共に、屋根板材の使用量も増えるため、コストアップとなる。
【０００９】
また、既設のスレート葺屋根材は、フックボルトがスレート葺屋根材の山芯（凸部）部になくズレている場合があるが、特許文献２のような固定金具では、そのズレに対応することができず、固定金具が斜めに係止された状態になりやすく、そのために、その上部に取り付けられる新設の屋根板までも傾いてしまうという問題があった。
【００１０】
また、既設のフックボルトが部分的に腐食し、断面が欠損してしまった場合や、既設のスレート葺屋根材が割れてしまった場合などに、一度取り付けた支持金具を取り外すことがあるが、これら特許文献１および特許文献２の技術では、固定金具が丸穴形の係止片によってフックボルトに固定されているため、取り外しの際には、工具を使って係止片をこじあけたり、リベット等の固定具に電動ドリルで穴を開ける作業が必要になり、その作業に手間がかかるという問題があった。
【００１１】
さらに、これらの従来技術では、固定金具を既設のスレート葺屋根材の凸部を完全に覆うように（固定金具をスレート葺屋根材の凹部（谷部）から支えるように配置されているため、固定金具の形状が大きくなるとともに、作業員が歩くなどして上から荷重がかかった場合に、開きやすいという問題があった。
【００１２】
そこで、本発明の目的は、既設のスレート葺屋根材の固定用フックボルトへの取付けを堅固に行うことができる他、取付け・取外しが簡単で、しかも固定用フックボルトの軸芯のズレ（横ズレ）にもよく対応することができるスレート葺屋根補修用の屋根板保持金具と、その保持金具を用いるまで達成されるスレート葺屋根補修構造と、そして、金属製折曲げ屋根材の安定した取付け（施工）を低コストで行うことのできるスレート葺屋根の補修工法とを提案することにある。
【課題を解決するための手段】
【００１３】
発明者らは、従来技術が抱えている上述した課題が解決でき、上記目的の実現に有効な解決の手段として、下記の要旨構成に係る新規技術を提案する。
【００１４】
本発明の第１の解決手段は、
既設のスレート葺屋根上を覆う金属製折曲げ屋根材を支持するための屋根板保持金具であって、この保持金具は、下部が台座部として構成され、上部が支持部として構成されていて、断面略台形状をなすものであり、
上記台座部は、スレート葺屋根材の波形凸部を跨ぐように配設される部分であって、台座上板部と左右の傾斜側板部とからなり、かつ、その台座上板部には、中央部の前後方向を切り起して形成される一対の対向する矩形状係止爪を有すると共に、この係止爪に挟まれた左右方向には、スレート葺屋根材固定用フックボルトを挿入するための長孔状ボルト挿通孔とを有し、
上記支持部は、台座上板部の前後方向の端縁から上方にそれぞれ立設された一対の支持部側板およびこれらの支持部側板上端からそれぞれ外側に翼状に張設した支持部上板とからなることを特徴とするスレート葺屋根補修用屋根板保持金具に関する。
【００１５】
なお、本発明の上記スレート葺屋根補修用屋根板保持金具は、
（１）前記台座部は、左右傾斜側板部のそれぞれの下端部に、外向きに延在させた鍔片を有すること、
（２）前記係止爪は、フックボルトのねじ部に噛合してこれを係止する対向する端縁が、長孔状ボルト挿通孔の長手方向に沿って直線的に形成され、かつこの係止爪の左右方向両端部の外側には、それぞれ、フックボルトの直径よりも大きい開口部を有すること、
（３）前記台座部の左右傾斜側板部の拡がり方向と前記支持部上板の張り出し方向とが互いに直行する向きに形成されていること、
（４）前記係止片の先端が先細形状であること、
がより好ましい解決手段である。
【００１６】
また、本発明の第２の解決手段は、
既設スレート葺屋根上に、屋根板保持金具を介して金属製折曲げ屋根材を被覆してなるスレート葺屋根の補修構造において、
前記保持金具が、スレート葺屋根補修用保持金具によって構成され、
前記金属製折曲げ屋根材が、スレート葺屋根の各山部に対応する位置において折曲げ成形された台形山部を有すると共に、その台形山部のうちのスレート葺屋根材を固定するフックボルトの設置部分を高台形山部としてなる折曲げ屋根材によって構成され、
前記金属製折曲げ屋根材端部の高台形山部が、スレート葺屋根材固定用フックボルトに装着されている上記保持金具の、支持部上板上に重ね合わせて載置され、
そして、該金属製折曲げ屋根材は、隣接するものどうしを連結するために、それらの端部どうしを重ね合わせた部分が、屋根下地材に向けて打ち込まれた直打用長ビスを介して固定されていることを特徴とするスレート葺屋根の補修構造に関する。
【００１７】
そして、本発明の第３の解決手段は、
既設スレート葺屋根上に、屋根板保持金具を介して金属製折曲げ屋根材を配設して、これを覆うことにより、スレート葺屋根の補修を行う方法において、
フックボルトが取付けられているスレート葺屋根材の波形山部のうちの、その上に被せる金属製折曲げ屋根材端部の高台形山部に当たる位置に、屋根板保持金具を、この金具の台座上板部に設けられた長孔状ボルト挿通孔中にあるフックボルトに取付けると共に、この屋根板保持金具を台座上板部に設けた係止爪を介して該フックボルトのネジ山に食い込ませて固定し、
次いで、上記屋根板保持金具上に、両端部に高台形山部が形成されている金属製折曲げ屋根材を、その高台形山部の部分を互いに重ね合わせた状態にして載置し、
その後、上記金属製折曲げ屋根材の上から、連結すべき該屋根材それぞれの端部の重ね合わせ部分に、直打用長ビスを下層にあるスレート葺屋根材ともども屋根下地材にまで打込むことにより、該金属製折曲げ屋根材をスレート葺屋根上に被覆した状態で固定する、
ことを特徴とするスレート葺屋根の補修工法に関する。
【発明の効果】
【００１８】
以上のように構成される、本発明によれば、老朽化したスレート葺屋根材を取り壊さずに、単に、その上に金属製折曲げ屋根材を葺き上げるだけでスレート葺屋根の補修ができるという効果がある。従って、このような技術の下では、補修工事中であっても工場の操業を続けたり、倉庫や店舗の使用や営業を継続して行うことができる他、風雨を凌ぐための養生や足場の構築も不要で、補修工事を安全かつ短期間に行うことができる。しかも、古いスレート葺屋根を解体する必要がないので、スレート葺屋根材等の廃棄物がほとんど出ることがなく、環境汚染を招くという問題を生じさせることもない。
【００１９】
また、本発明によれば、葺上げた金属製折曲げ屋根材端部どうしの連結のための重ね合わせ位置が、保持金具への支持に加えて直打用長ビス止めによる固定を併用することにより堅固に支持される。しかも、該金属製折曲げ屋根材を長ビス等の打込みによる直打工法によって既設のスレート葺屋根および構造材の下地母屋へ直接固定する際に、その重ね合わせ部の、とくに下側屋根材が下へ落ち込むことや、該長ビス等が曲がって施工不良を招くようなことを防止することができる。
【００２０】
また、本発明に従って葺上げた金属製折曲げ屋根材からなるカバールーフは、既設のスレート葺屋根材の山部に合わせて台形山部を形成して重畳するように載置され、ビス止め等によって固定されるため、作業者が薄鋼板からなる折曲げ屋根材、とくに前記台形山部の上に乗っても、この山部が凹んだり膨らんだりするようなことがなく、また、下地材等の設置が不要になるため、工期の著しい短縮と、コストダウンを図ることができる。
【００２１】
また、本発明の屋根板保持金具は、その台座上板部に設けられたフックボルト挿入孔を長孔状とすると共に、係止爪を横長矩形状とした（ボルト噛合部が直線状となる）ことで、既設のフックボルトの軸芯が大きくズレているような場合でも、該金具を傾けることなく、そのままの状態で、係止爪をフックボルトのネジ山に食い込ませることできるので、施工が容易になると共に、強固に固定することができる。
【００２２】
また、本発明の屋根板保持金具は、その台座部上面に、係止爪の左右方向両端部の外側に、固定用フックボルトの直径よりも大きい開口部を前記長孔状ボルト挿通孔に連設する形で設けたことにより、屋根板保持金具を、前記開口部まで左右方向に金槌等で軽く叩くなどして移動させるだけで、簡単に取り外しができるようになり、従来のように電動ドリル等の工具を使う必要がなくなる。
【００２３】
また、本発明の屋根板保持金具は、スレート葺屋根材の凸部（山部）を跨ぐように載置される台座部の左右傾斜側板部の拡がり方向と、それの上部に連設された支持部上板とが、従来の固定金具のように同じ方向に張設されるのではなく、互いに直交する方向となるように形成されているため、作業者が屋根板上を歩く等して上方より荷重がかかっても開きにくく、安定支持に効果がある。
【００２４】
さらに、本発明の屋根板保持金具は、台座部の左右傾斜側板部下端部に設けた鍔片が、スレート葺屋根材の凸部（山部）上に跨座するように配置されるため、従来の固定金具よりも、サイズを小さくすることが可能であり、さらに強度と安定度とを向上させコストダウンも図ることができる。
【図面の簡単な説明】
【００２５】
【図１】本発明のスレート葺屋根補修構造の一実施形態を示す正面図である。
【図２】本発明のスレート葺屋根補修構造において用いられる金属製折曲げ屋根材の側面形状を示す線図である。
【図３】本発明のスレート葺屋根補修構造の一実施形態を示す部分断面図である。
【図４】本発明のスレート葺屋根補修構造の一実施形態を示す部分断面図である。
【図５】本発明の屋根板保持金具のフックボルトへの取付け位置を示す概略図である。
【図６】本発明にかかる屋根板保持金具の構造を示す斜視図(ａ)および平面図（ｂ）である。
【図７】本発明にかかる屋根板保持金具の取付け方法の一実施形態を示す正面図である。
【発明を実施するための形態】
【００２６】
図１は、本発明のスレート葺屋根補修構造の一実施形態を示すものであって、溝型鋼材などで構成される母屋１上に、スレート葺屋根材３をフックボルト２を介して固定し、そのスレート葺屋根板３上には本発明に係る屋根材保持金具４を介在させて、カバールーフである金属製折曲げ屋根材６を載置して、老朽化したスレート葺屋根３を覆うことにより、該スレート葺屋根３の補修を行った様子を示している。
【００２７】
本発明で用いる金属製屋根材６は、図２に示すように、丸波形スレート葺屋根３の各波形山部に対応する位置にそれぞれ、角形に折曲げ成形された台形山部６ａが設けられ、その台形山部６ａのうちのスレート葺屋根材３固定用のフックボルト２設置部分は嵩高の高台形山部６ａ’となるようにして屈曲成形したものであり、図示したように、左端部が上重ね端部６ｂ、右端部が下重ね端部６ｃとして形造られている。
なお、この金属製屋根材６は、金属製薄板、好ましくは溶融亜鉛メッキ鋼板、塗装溶融亜鉛メッキ鋼板、塗装溶融合金メッキ鋼板等を折曲げ成形したものが好適に用いられ、前記台形山部の上面は、平坦面、湾曲面、山形等に成形されることが好ましい
【００２８】
角波状に成形された金属製折曲げ屋根材６は、それぞれの高台形部分を含む台形山部は、少なくとも屋根葺き施工後において、スレート葺屋根材３のちょうど波形山部の位置に符合して設けられ、これらの両山部は、ほぼ接するように配設される形状を備えている。従って、施工作業に当たっては、作業者が該金属製折曲げ屋根材６上に乗っても、山部どうしが接ししているため、座屈して凹んだり変形したりするようなことがなく、しかも、この金属製折曲げ屋根材６を既設のスレート葺屋根材３上に、同じ山間隔（同じ働き幅）でそのまま施工して取付けることができる。従って、母屋材などを新たに施工して補強工事を行う必要がなく、スレート葺屋根の捕集作業を簡素化することができる。
【００２９】
本発明では、図３の断面図に示すように、２枚の前記金属製折曲げ屋根材６を、一方の上重ね端部６ｂと、他方の屋根板端部である下重ね端部６ｃとを重ね合わせることによって互いを連結し、その重ね合わせた位置にスレート葺屋根材３の固定に用いられるフックボルト２の頭部を貫通させた状態で屋根材保持金具４上に載置する。その上で、図３のIII−III位置における断面を示す図４に示すように、該屋根材保持金具４の隣接位置において、左右の金属製折曲げ屋根材６ともども、しかもスレート葺屋根材３をも貫通する態様で、直打用長ビス７を母屋１（屋根下地材）にまで打ち込む（直打工法）ことによって、カバールーフとなる金属製折曲げ屋根材６を、既設スレート葺屋根材３上に被せて固定することで、屋根補修を行う。
【００３０】
このように、本発明では、葺上げた金属製折曲げ屋根材６の端部６ｂ、６ｃの重ね合わせ位置が、スレート葺屋根材３の波形凸部３ａ上に跨座させた屋根材保持金具４によって下から支持されるため、該金属製折曲げ屋根材６にビス７等を打ち込むときも、その端部６ｂ、６ｃどうしの重ね合わせ部の、とくに下重ね端部６ｃ（下側屋根材）が凹むようなことや、ビス等が曲がって取り付けられるのを防止することができる。
【００３１】
なお、本発明の屋根材保持金具４は、上述したように、金属製折曲げ屋根材６の端部６ｂ、６ｃの重ね合わせ位置を支持する目的で用いられるものであるため、図５に示すように、スレート葺屋根材３の固定に用いられているフックボルト２のうち、金属製折曲げ屋根材６のつなぎ合わせ部分（嵌合部）に位置するフックボルト２のみ、即ち、折曲げ金属製屋根材６の板幅（７８０ｍｍ）に相当する間隔毎に配置させることになる。
【００３２】
次に、本発明に係る屋根材保持金具４について説明する。図６は、本発明の屋根材保持金具４の一実施形態を示すものである。この図に示すように、本発明の屋根材保持金具４は、全形が樋状で断面略台形状を呈し、下部を構成する台座部Ａと、この台座部Ａの上に連設されて上部を構成することとなる、金属製屋根材５を支持する支持部Ｂとで構成されており、台座部Ａの拡がり方向と、支持部Ｂの張り出し方向とは互いに直交する向きとなるように形造られている。
即ち、スレート葺屋根材の凸部（山部）を跨ぐように載置される台座部Ａの左右傾斜側板部４ｂ、４ｂ’の横拡がり方向と、それの上部に連設される金属製屋根材を保持する支持部Ｂの支持部上板５ａ、５ａ’の張り出し方向とが、従来の固定金具のように同じ方向を向いているのではでなく、互いに直交する方向となるように形成されているため、作業者が屋根板上を歩く等して上方より荷重がかかっても開きにくく、折曲げ屋根材６の支持形態が安定するという効果がある。
【００３３】
台座部Ａは、前記左右の傾斜側板部４ｂ、４ｂ’を介してスレート葺屋根材３の波形凸部上を跨ぐように配設する部分であって、台座上板部４ａとその左右方向の各端部に傾斜側板部４ｂ、４ｂ’とを門形に連設して断面略台形を呈する形状である。そして、この台座部Ａの台座上板部４ａには、その中央部の一部を左右方向に沿ってそれぞれ斜め上方へ切り起して形成した対向する一対の矩形状の係止爪４ｃ、４ｃ’が設けられている。そして、この係止爪４ｃ、４ｃ’の形成によって開口する部分は同時に、左右方向に延びる長孔状のボルト挿通孔４ｄを形造っている。
【００３４】
一方、前記支持部Ｂは、台座上板部４ａの前後方向となる端縁部を屈曲して上方に立設した一対の支持部側板５ｂ、５ｂ’と、それぞれの支持部側板の上端から外側に張り出すように、つまり前記台座Ａの左右傾斜側板部４ｂ、４ｂ’とは直交する向きの前後方向に、それぞれ張り出すように屈曲成形された支持部上板５ａ、５ａ’とからなるものである。
【００３５】
前記のように構成される屋根材保持金具４は、スレート葺屋根材３の所定位置（金属製折曲げ屋根材５のつなぎ合わせ位置）の波形凸部３ａの直上に跨座するように配置され、かつ前記台座上板部４ａの係止爪４ｃ、４ｃ’とフックボルト２との噛合状態を介して堅固に固定される。この保持金具４の固定状態を安定させるため、前記台座上板部４ａに設けられた係止爪４ｃ、４ｃ’の対向する端縁部相互間には、前記フックボルト２を挿通させるための隙間４ｇが設けられ、この隙間４ｇ内に貫通するフックボルト２のネジ山の間に、該係止爪４ｃ、4ｃ’の先端部を喰い込ませるようにする。そして、カバールーフとなる金属製折り曲げ屋根材５については、連結のために重なり合う部分が、前記のように、フックボルト２によって締結された状態にある屋根板保持金具４の、支持部上板５ａ、５ａ’上に載置されることによって支持される。
【００３６】
上記係止爪４ｃ、４ｃ’は、左右方向に横長の矩形状からなるため、対向する端縁どうしが従来の固定金具のようにフックボルトの形状に合わせて円弧状に形成されているものではなく、直線状に形成されているため、フックボルト２のねじ山に噛合して係止できる範囲が広くなっており、両者の係脱が容易である。従って、既設のフックボルト２がスレート葺屋根材３の山芯（凸部３ａ）部に挿通されずに芯ズレを起こしていたり、傾くなどしていても、屋根材保持金具４を不安定な状態にすることなく、そのままの状態で、係止爪４ｃ、４ｃ’をフックボルト２のネジ山に確実に喰い込ませることができる。なお、このような噛合状態を確実に得るために、前記係止爪４ｃ、４ｃ’は、板厚が厚い場合、係止爪４ｃ、４ｃ’の先端部を、図７に示すように、先細形状にすることが好ましい。
【００３７】
加えて、この屋根材保持金具４の台座部Ａの台座上板部４ａに形成されたボルト挿通孔４ｄは、左右の傾斜側板方向に長い長孔状に形成されており、それ故に、上述したとおり、既設のフックボルト２が傾いていたり、芯ズレを起こしていたような場合でも、フックボルト２の傾き等に合わせて屋根板保持金具４を単に横位置移動させるだけで、該保持金具４のフックボルト２への常に安定した喰い込み固定が可能になる。
【００３８】
なお、本発明の屋根板保持金具４では、台座上板部４ａにおいて、係止爪４ｃ、４ｃ‘の左右方向の両側端部と、ボルト挿通孔４ｄの左右方向の両端部との間には、スレート葺屋根材３の固定用フックボルト２の直径よりも大きい開口部４ｆ、４ｆ’を設けることが好ましい。これを設けることにより、フックボルト２に取り付けた屋根板保持金具４を取り外す際に、該保持金具４を、横方向に金槌等で叩くなどして前記開口部４ｆ、４ｆ’まで移動させることで、簡単に取り外しを行うことができるようになり、従来のように、電動ドリル等の工具を使って係止片４ｃ、４ｃ’をこじ開ける必要がなくなる。
【００３９】
また、本発明では、屋根材保持金具４の前記左傾斜側板部４ｂおよび右傾斜側板部４ｂ‘の下端部には、外向きの下拡がり状に延在させた鍔片４ｅ、４ｅ’を形成することが好ましい。この鍔片４ｅ、４ｅ’は、載置する既設のスレート葺屋根材３の波形凸部３ａの傾斜に沿った角度に折曲して形成されることが好ましく、これにより、屋根材保持金具４をスレート葺屋根材３の波形凸部３ａ上に載置した際に、鍔片４ｅ，４ｅ’が押さえとなり、屋根材保持金具４が、載置する金属製折曲げ屋根材６の荷重等によって大きく動くようなことがなく、スレート葺屋根材３上に安定して着座させることができる。
【００４０】
本発明に係る屋根材保持金具４は、その左右傾斜側板部４ｂ、４ｂ’が、スレート葺屋根材３の波形凸部３ａを跨ぐように着座した状態で、該凸部３ａ上に載置するものである。そのため、スレート葺屋根材３の凹部の部分で支えるようにしている従来の固定金具よりもサイズを小さくすることができ、製作が簡単で、製作費や屋根上に運搬する作業費を削減することができると共に、強度を向上させることができる。
【００４１】
さらに、本発明に係る屋根材保持金具４は、上述したように、支持部上板５ａ、５ａ’の張り出し方向（前後方向）と、左右傾斜側板部４ｂ、４ｂ’の拡がり方向（横方向）とが直交する向きに形成されているため、支持部Ｂ上に載置される金属製折り曲げ屋根材６の荷重が分散されて、作業者が屋根板上を歩く等して上方より荷重がかかっても左右傾斜側板部４ｂ、４ｂ’が左右に開いてしまうのを防ぐことができる。
【００４２】
次に、既設スレート葺屋根材３上に、新らたに金属製折曲げ屋根材６を覆うように葺き上げて、老朽化したスレート葺屋根３をそのままにして補修する方法について説明する。
【００４３】
まず、屋根材保持金具４をスレート葺屋根材３上に被せるよう配置する方法としては、屋根材保持金具４を、この金具４の台座上板部４ａ中に、既設のスレート葺屋根材３を固定しているフックボルト２を挿入すると共に、台座部上板部４ａを切り起こして形成した係止爪４ｃ、４ｃ’の先端部を、このフックボルト２のネジ山の間に喰い込ませることにより固定する。
【００４４】
このようにして屋根材保持金具４をフックボルト２を介してスレート葺屋根材３に固定した後、フックボルト２上端の保持金具４の支持部Ｂの支持部上板５ａ、５ａ’より突出した部分は、該支持部上板５ａ、５ａ’以下の位置の高さになるように切断することが好ましい。これにより、後述するように、金属製折曲げ屋根板６を保持金具４上に載置させた際に、フックボルト２が、屋根材６にぶつかるようなことがなくなる。
【００４５】
次に、図３に示したように、保持金具４の支持部Ｂの平坦な支持部上板５ａ、５ａ’上に、新規の金属製折曲げ屋根板６を、上重ね端部６ｂと下重ね端部６ｃとを重ね合わせた状態にして載置し、図３および図４に示すように、保持金具４の近傍にある、金属製折曲げ屋根材６の重ね合わせ部分を、スレート葺屋根材３ともども直打用の長ビス７を介して母屋１（屋根下地材）に達るまで打ち込むことで、該金属製折曲げ屋根材６をスレート葺屋根材３上に被覆した状態にして固定する。
【００４６】
なお、この補修工法で用いる前記金属製折曲げ屋根材６は、下層の老朽化したスレート葺屋根材３の丸波パターンと同じ間隔で角形に折曲げ成形した屋根材であり、図１に示すように、スレート葺屋根材の各山部に対応する部分のうちのフックボルト２取付け部分に、上述したように、高台形山部６ａを一定の周期で形成したものである。
【００４７】
本発明では、このような屋根葺施工作業によって、隣り合う金属製折曲げ屋根材６どうしを幅方向に繋げていくことにより、老朽化したスレート葺屋根３の全面を、カバールーフである新しい金属製折曲げ屋根材６によって覆い、スレート葺屋根材３等の既設屋根設備等を全く解体することなく補修することができる。
【産業上の利用可能性】
【００４８】
本発明に係るスレート葺屋根の補修構造およびその補修工法、スレート葺屋根補修用屋根材保持金具は、単に老朽化したスレート葺屋根の補修のみならず、新しいスレート葺屋根のカバールーフ施工技術としても好適に用いられる。
【符号の説明】
【００４９】
１  母屋
２  フックボルト
３  スレート葺屋根材
３ａ  スレート葺屋根材の波形凸部
４  屋根材保持金具
４ａ、台座上板部
４ｂ  右傾斜側板部
４ｂ’左傾斜側板部
４ｃ、４ｃ’  係止爪
４ｄ  ボルト挿通孔
４ｅ、４ｅ’  鍔片
４ｆ、４ｆ‘  開口部
５ａ、５ａ’  支持部上板
５ｂ、５ｂ’  支持部側板
６  金属製折曲げ屋根材
６ａ  金属製折曲げ屋根材の台形山部
６ａ’  金属製折曲げ屋根材の高台形山部
７  長ビス
Ａ  台座部
Ｂ  支持部
【図１】
2011122363.tif 000003
【図２】
2011122363.tif 000004
【図３】
2011122363.tif 000005
【図４】
2011122363.tif 000006
【図５】
2011122363.tif 000007
【図６】
2011122363.tif 000008
【図７】
2011122363.tif 000009